【事件の表示】
　特許第６６４６８８１号発明「照明器具」の特許異議申立事件について、次のとおり決定する。
【結　論】
　特許第６６４６８８１号の明細書，特許請求の範囲を訂正請求書に添付された訂正明細書，訂正特許請求の範囲のとおり，訂正後の請求項１について訂正することを認める。
　特許第６６４６８８１号の請求項１に係る特許を維持する。
【理　由】
第１．手続の経緯
　特許第６６４６８８１号の請求項１に係る特許についての出願は，平成２３年１月２６日に出願した特願２０１１−１３６９５号の一部を平成２６年６月１１日に新たな出願とした特願２０１４−１２０１１５号の一部を平成２６年７月４日に新たな出願とした特願２０１４−１３８２４４号の一部を平成２８年２月２２日に新たな出願とした特願２０１６−３１０６４号の一部を平成２９年６月２２日に新たな出願とした特願２０１７-１２２４２０号の一部をさらに平成３０年７月１０日に新たな特許出願としたものであって，令和２年１月１６日にその特許権の設定登録がされ，同年２月１４日に特許掲載公報が発行された。その後，その特許について，同年８月７日に特許異議申立人西村　太一，及び，特許異議申立人梯　京子により，それぞれ特許異議の申立てがされ，当審は，同年１１月５日付けで取消理由を通知した。特許権者は，その指定期間内である令和３年１月８日付け意見書の提出及び訂正の請求を行い，同年１月１４日付で訂正請求があった旨が通知され（特許法第１２０条の５第５項）、その訂正の請求に対して，同年２月１９日付けで特許異議申立人西村　太一，及び，特許異議申立人梯　京子により，それぞれ意見書の提出があったものである。
第２．訂正の適否
１．訂正の内容
　令和３年１月８日付けの訂正請求（以下，「本件訂正請求」という。）による訂正の内容は以下の訂正事項１，２のとおりである（下線部は，訂正箇所を示し，当審で付与した。）。
（１）訂正事項１
　特許請求の範囲の請求項１の「器具取付面に配設された配線器具に電気的かつ機械的に接続されるアダプタが配設されるための開口を有し，前記配線器具に取り付けられる器具本体と；
　前記器具本体の開口を囲むように前面側に前記ＬＥＤパッケージが実装された基板と；
　内周側に前記アダプタが係合するための係合口が形成され，前記器具本体の開口に配設される円筒状の取付部と；
　前記取付部を囲むように配設されているとともに，前記取付部の上端よりも前記器具本体の前面側に配設される点灯装置と；
　前記取付部の開口部に対応した開口が形成された前面壁を有するとともに，点灯装置の外側を囲む外周壁と，前記取付部を内周壁とする空間に前記点灯装置を包囲する点灯装置カバーと；
を具備していることを特徴とする照明器具。」という記載を，
「器具取付面に配設された配線器具に電気的かつ機械的に接続されるアダプタが配設されるための開口を有し，前記配線器具に取り付けられる
金属製の
　前記器具本体の開口を囲むように前面側
にＬ
，裏面側が前記器具本体と熱的に結合するように前記器具本体に実装される
　内周側に前記アダプタが係合するための係合口が形成され，前記器具本体の開口
から照射面方向へと延伸するよう
　前記取付部を囲むように配設されているとともに，
照射面側の端から裏面側の端までの厚みが，
前記照射面方向の端から
体側の端までの範囲
収まるように
　前記取付部の開口部に対応した開口が形成された前面壁を有するとともに，点灯装置の外側を囲む外周壁と，前記取付部を内周壁とする空間に前記点灯装置を包囲する点灯装置カバーと；を具備し
，
　
前記基板には，略全面に亘り配線パターンが形成され，
　
前記ＬＥＤパッケージは，略直方体形状であり，一方の短辺側の電極が前記器具本体の開口側を向き，かつ他方の短辺側の電極が前記器具本体の外周側を向くように配置される
に訂正する。
（２）訂正事項２
　願書に添付した明細書の段落【０００７】の「本発明の実施形態による照明器具は，器具取付面に配設された配線器具に電気的かつ機械的に接続されるアダプタが配設されるための開口を有し，前記配線器具に取り付けられる器具本体と；前記器具本体の開口を囲むように前面側に前記ＬＥＤパッケージが実装された基板と；内周側に前記アダプタが係合するための係合口が形成され，前記器具本体の開口に配設される円筒状の取付部と；前記取付部を囲むように配設されているとともに，前記取付部の上端よりも前記器具本体の前面側に配設される点灯装置と；前記取付部の開口部に対応した開口が形成された前面壁を有するとともに，点灯装置の外側を囲む外周壁と，前記取付部を内周壁とする空間に前記点灯装置を包囲する点灯装置カバーと；を具備していることを特徴とする。」という記載を「本発明の実施形態による照明器具は，器具取付面に配設された配線器具に電気的かつ機械的に接続されるアダプタが配設されるための開口を有し，前記配線器具に取り付けられる
金属製の
にＬ
，裏面側が前記器具本体と熱的に結合するように前記器具本体に実装される
から照射面方向へと延伸するよう
照射面側の端から裏面側の端までの厚みが，
前記照射面方向の端から
体側の端までの範囲
収まるように
，前記基板には，略全面に亘り配線パターンが形成され，前記ＬＥＤパッケージは，略直方体形状であり，一方の短辺側の電極が前記器具本体の開口側を向き，かつ他方の短辺側の電極が前記器具本体の外周側を向くように配置される
２．訂正要件についての判断
（１）訂正事項１
ア．訂正の目的について
　訂正事項１は，請求項１の「器具取付面に配設された配線器具に電気的かつ機械的に接続されるアダプタが配設されるための開口を有し，前記配線器具に取り付けられる器具本体と；」とあるのを，「器具取付面に配設された配線器具に電気的かつ機械的に接続されるアダプタが配設されるための開口を有し，前記配線器具に取り付けられる金属製の器具本体と；」へと訂正する事項（以下「訂正事項1−１」という。）を含む。
　訂正後の請求項１記載の発明では，器具本体が金属製である旨を明らかにすることで，特許請求の範囲を減縮しようとするものであるから，当該訂正事項１−１は，特許法第１２０条の５第２項ただし書第１号に規定する特許請求の範囲の減縮を目的とするものである。
　また，訂正事項１は，請求項１の「前記器具本体の開口を囲むように前面側に前記ＬＥＤパッケージが実装された基板と；」とあるのを，「前記器具本体の開口を囲むように前面側にＬＥＤパッケージが実装され，裏面側が前記器具本体と熱的に結合するように前記器具本体に実装される基板と；」へと訂正する事項（以下「訂正事項１−２」という。）を含む。
　訂正後の請求項１記載の発明では，基板が，基板の裏面側か器具本体と熱的に結合するように器具本体に実装される旨を明らかにすることで，特許請求の範囲を減縮しようとするものであるから，当該訂正事項１−２は，特許法第１２０条の５第２項ただし書第１号に規定する特許請求の範囲の減縮を目的とするものである。
　また，誤記である「前記ＬＥＤパッケージ」を「ＬＥＤパッケージ」と訂正するものであり，当該訂正事項１−２は，特許法第１２０条の５第２項ただし書第２号に規定する誤記の訂正を目的とするものである。
　また，訂正事項１は，請求項１の「内周側に前記アダプタが係合するための係合口が形成され，前記器具本体の開口に配設される円筒状の取付部と；」とあるのを，「内周側に前記アダプタが係合するための係合口が形成され，前記器具本体の開口から照射面方向へと延伸するように配設される円筒状の取付部と；」へと訂正する事項（以下「訂正事項１−３」という。）を含む。
　訂正後の請求項１記載の発明では，取付部が，器具本体の開口から照射面方向へ延伸するように配設される旨を明らかにすることで，特許請求の範囲を減縮しようとするものであるから，当該訂正事項１−３は，特許法第１２０条の５第２項ただし書第１号に規定する特許請求の範囲の減縮を目的とするものである。
　また，訂正事項１は，請求項１の「前記取付部を囲むように配設されているとともに，前記取付部の上端よりも前記器具本体の前面側に配設される点灯装置と；」とあるのを，「前記取付部を囲むように配設されているとともに，照射面側の端から裏面側の端までの厚みが，前記取付部の前記照射面方向の端から前記器具本体側の端までの範囲に収まるように配設される点灯装置；」へと訂正する事項（以下「訂正事項１−４」という。）を含む。
　訂正後の請求項１記載の発明では，点灯装置の厚みが，取付部の照射面方向の端から器具本体側の端までの範囲に収まるように，点灯装置を配設する旨を明らかにすることで，特許請求の範囲を減縮しようとするものであるから，当該訂正事項１−４は，特許法第１２０条の５第２項ただし書第１号に規定する特許請求の範囲の減縮を目的とするものである。
　また，訂正事項１は，請求項１の照明器具が具備する構成要素として，「前記基板には，略全面に亘り配線パターンが形成され，」を追加する事項（以下「訂正事項１−５」という。）を含む。
　訂正後の請求項１記載の発明では，基板に略全面に亘り配線パターンが形成される旨を明らかにすることで，特許請求の範囲を減縮しようとするものであるから，当該訂正事項１は，特許法第１２０条の５第２項ただし書第１号に規定する特許請求の範囲の減縮を目的とするものである。
　また，訂正事項１は，請求項１の照明器具が具備する構成要素として，「前記ＬＥＤパッケージは，略直方体形状であり，一方の短辺側の電極が前記器具本体の開口側を向き，かつ他方の短辺側の電極が前記器具本体の外周側を向くように配置される」を追加する事項（以下「訂正事項１−６」という。）を含む。
　訂正後の請求項１記載の発明では，基板に対するＬＥＤパッケージの配置を明らかにすることで，特許請求の範囲を減縮しようとするものであるから，当該訂正事項１−６は，特許法第１２０条の５第２項ただし書第１号に規定する特許請求の範囲の減縮を目的とするものである。
　したがって，訂正事項１−１〜訂正事項１−６を含む訂正事項１は，特許法第１２０条の５第２項ただし書第１号に規定する特許請求の範囲の減縮及び特許法第１２０条の５第２項ただし書第２号に規定する誤記の訂正を目的とするものである
イ．願書に添付した明細書，特許請求の範囲又は図面に記載した事項の範囲内においてした訂正であること
　上記訂正事項１は，願書に添付した明細書の発明の詳細な説明又は図面に基づいて導き出される構成である。
　例えば，段落【００１３】には，「図２乃至図５に示すように，
本体１は
金属材料の
シャーシであり
　また，例えば，段落【００２３】には，「基板２１は，絶縁性を有する表面上に配線パターン層２１ａが積層され，さらに，その上に反射層２１ｂが積層されて形成されている。そして，基板２１には，２列に亘って発光素子２２である表面実装型のＬＥＤパッケージが複数個実装されている。
ＬＥＤパッケージは
略直方体形状をなしていて，一方の短辺側にアノード側の電極Ａｅが設けられており，他方の短辺側にカソード側の電極Ｃeが設けられている
配線パターン層２１ａは
基板２１の表面上を略全面に亘って覆うように形成されている
基板２１は，本体１と熱的に結合され，基板２１からの熱が裏面側から本体１に伝導され放熱される
　このため，上記訂正事項１は，願書に添付した明細書，特許請求の範囲又は図面に記載した事項の範囲内においてした訂正であり，特許法第１２０条の５第９項で準用する第１２６条第５項の規定に適合するものである。
ウ．実質上特許請求の範囲を拡張し，又は変更する訂正ではないこと
　上記ア．の理由から明らかなように，訂正事項１は，補正前の請求項１に記載されていた発明特定事項を減縮するものであり，カテゴリーや対象，目的を変更するものではないから，実質上特許請求の範囲を拡張し，又は変更するものには該当せず，特許法第１２０条の５第９項で準用する第１２６条第６項の規定に適合するものである。
（２）訂正事項２
ア．訂正の目的について
　訂正事項２は，訂正前の明細書の段落【０００７】に記載された課題を解決するための手段を，訂正事項１に係る訂正後の請求項１の記載にあわせて訂正するものである。
　訂正前の明細書の段落【０００７】には，課題を解決するための手段として，訂正前の請求項１に記載された発明が有する特徴が記載されていた。
　しかしながら，上述した訂正事項１により，請求項１の記載を訂正したので，訂正後の請求項１と同様の訂正を，明細書の段落【０００７】に対しても行うことで，訂正後の請求項１の記載と，明細書の記載とをあわせたものであるから，明瞭でない記載の釈明を目的とするものである。
　以上のとおり，訂正事項２は，特許法第１２０条の５第２項ただし書第３号に規定する明瞭でない記載の釈明を目的とするものである。
イ．願書に添付した明細書，特許請求の範囲又は図面に記載した事項の範囲内においてした訂正であること
　訂正事項２は，訂正前の明細書の段落【０００７】の記載を，訂正後の請求項１の記載にあわせるものである。
　このため，訂正事項２は，訂正事項１と同様に，願書に添付した明細書，特許請求の範囲又は図面に記載した事項の範囲内においてした訂正であり，特許法第１２０条の５第９項で準用する第１２６条第５項の規定に適合するものである。
ウ．実質上特許請求の範囲を拡張し，又は変更する訂正ではないこと
　上述したように，訂正事項２は，訂正後の請求項１と同様の訂正を，明細書の段落【０００７】に対しても行うことで，訂正後の請求項１の記載と，明細書の記載とをあわせたものである。
　このように，訂正事項２については，訂正後の請求項１と明細書の記載とをあわせるためのものであり，訂正後の請求項１に記載された発明の構成を説明するものであるから，実質上特許請求の範囲を拡張し，又は変更するものには該当せず，特許法第１２０条の５第９項で準用する第１２６条第６項の規定に適合するものである。
（３）小括
　以上のとおりであるから，本件訂正請求による訂正は，特許法第１２０条の５第２項ただし書第１号，第２号及び第３号に掲げる事項を目的とするものであり，かつ，同条第９項において準用する同法第１２６条第５項及び第６項の規定に適合する。
　したがって，明細書，特許請求の範囲を訂正請求書に添付された訂正明細書，訂正特許請求の範囲のとおり，訂正後の請求項１について訂正することを認める。
第３．訂正後の本件発明
　本件訂正請求により訂正された請求項１に係る発明（以下，「本件発明」という。）は，その特許請求の範囲の請求項１に記載された次の事項により特定されるとおりのものである。
「【請求項１】
　器具取付面に配設された配線器具に電気的かつ機械的に接続されるアダプタが配設されるための開口を有し，前記配線器具に取り付けられる金属製の器具本体と；
　前記器具本体の開口を囲むように前面側にＬＥＤパッケージが実装され，裏面側が前記器具本体と熱的に結合するように前記器具本体に実装される基板と；
　内周側に前記アダプタが係合するための係合口が形成され，前記器具本体の開口から照射面方向へと延伸するように配設される円筒状の取付部と；
　前記取付部を囲むように配設されているとともに，照射面側の端から裏面側の端までの厚みが，前記取付部の前記照射面方向の端から前記器具本体側の端までの範囲に収まるように配設される点灯装置と；
　前記取付部の開口部に対応した開口が形成された前面壁を有するとともに，点灯装置の外側を囲む外周壁と，前記取付部を内周壁とする空間に前記点灯装置を包囲する点灯装置カバーと；
を具備し，
　前記基板には，略全面に亘り配線パターンが形成され，
前記ＬＥＤパッケージは，略直方体形状であり，一方の短辺側の電極が前記器具本体の開口側を向き，かつ他方の短辺側の電極が前記器具本体の外周側を向くように配置されることを特徴とする照明器具。」
第４．取消理由通知に記載した取消理由について
１．取消理由の概要
　訂正前の請求項１に係る特許に対して，当審が令和２年１１月５日付けで特許権者に通知した取消理由の要旨は，次のとおりである。
「１）（サポート要件）本件特許に係る特許出願は，特許請求の範囲の記載が下記の点で，特許法第３６条第６項第１号に規定する要件を満たしていない。
２）（明確性）本件特許に係る特許出願は，特許請求の範囲の記載が下記の点で，特許法第３６条第６項第２号に規定する要件を満たしていない。
３）本件特許の請求項１に係る発明（以下「本件発明」という。） は，その出願前日本国内又は外国において頒布された下記の刊行物に記載された発明又は電気通信回線を通じて公衆に利用可能となった発明に基いて，その出願前にその発明の属する技術の分野における通常の知識を有する者が容易に発明をすることができたものであり，特許法第２９条第２項の規定により特許を受けることができないから，その発明に係る特許は取り消すべきものである。
　　　　　　　　　　　　　　　　記
＜理由１＞
　・・・
３．特許法第３６条第６項第１号についての結論
　上記１．，２．のとおり，請求項１に記載された発明特定事項を具備する発明が，発明の詳細な説明に記載された発明で，発明の詳細な説明の記載により当業者が当該発明の課題を解決できると認識できる範囲のものであるとはいえないし，また，その記載や示唆がなくとも当業者が出願時の技術常識に照らし当該発明の課題を解決できると認識できる範囲のものであるともいえないから，請求項１において，発明の詳細な説明に記載された，発明の課題を解決するための手段が反映されていないため，発明の詳細な説明に記載された範囲を超えて特許を請求することになり，特許法第３６条第６項第１号の規定に適合するものではない。
＜理由２＞
　請求項１の「前記ＬＥＤパッケージ」との記載は，それ以前に「ＬＥＤパッケージ」という記載が存在しないから，明確でない。
＜理由３＞
１．刊行物等一覧
引用文献１：特開２００２−１４０９１８号公報(異議申立人西村　太一が提出した甲第１号証）
引用文献２：特開２００９−２７２２６３号公報(異議申立人西村　太一が提出した甲第２号証）引用文献３：登録実用新案第３１６２９７３号公報(異議申立人西村　太一が提出した甲第３号証）
引用文献４：登録実用新案第３１５４７６１号公報(異議申立人西村　太一が提出した甲第４号証）　
引用文献５：特開２００９−３０２１４８号公報(異議申立人西村　太一が提出した甲第５号証）
引用文献６：特開２００９−３０１８１０号公報(異議申立人西村　太一が提出した甲第６号証）
引用文献７：特開２００９−２８９７０９号公報(異議申立人西村　太一が提出した甲第７号証）
引用文献８：特開平１０−２７５５１５号公報(異議申立人西村　太一が提出した甲第８号証）
引用文献９：特開平１０−２７５５１９号公報(異議申立人西村　太一が提出した甲第９号証）」
２．引用文献の記載事項，引用発明
（１）引用文献１
　引用文献１には，図面とともに以下の記載がある（下線部は，当審が付与した。）
・「【０００１】
【発明の属する技術分野】本発明は，照明器具に関するものである。」
・「【０００６】本発明は上記問題点の解決を目的とするものであり，気密性を保ちつつ組立作業性を向上してコスト低減を図った照明器具を提供する。」
・「【００１３】
【発明の実施の形態】（実施形態１）本実施形態の
照明器具
金属部材などからなる器具本体１０
電子式安定器２０を覆うように
配置される反射板３０
【００１４】蛍光ランプＬａは環形のものであって，定格出力並びに管径が異なる大小２種類の蛍光ランプ（例えば，ＦＣＬ４０／３８とＦＣＬ３２／３０など）が用いられる。
【００１５】また，
電子式安定器２０は，
インバータ回路等を具備して
蛍光ランプＬａを高周波点灯させる
構成を有し，
コ字形の回路基板２２上に上記インバータ回路等を構成する回路部品が実装され
【００１６】
器具本体１０は，略中央に円形の開口部１１を有す
器具本体１０の開口部１１周縁の下面側には，
円筒部１３が結合され
【００１７】
取付アダプタ１は
天井に配設された引掛シーリング２
等の配線器具
に取り付けて機械的な結合と電気的な接続が同時に行われる配線器具接続部１ｂ
を具備して
【００１８】上述の器具本体１０を取付アダプタ１を用いて天井などに取り付けるときには，器具本体１０の
円筒部１３の内周面に
係合突部１３ａが突設され
器具本体１０の上面側から開口部１ａ（「１１」の誤記）を通して
引掛シーリング２に取り付けられた取付アダプタ１を挿入し，
円筒部１３の係合突部１３ａに係合す
器具本体１０が取付アダプタ１に機械的に結合されて固定される。
【００１９】反射板３０は板状の金属部材によって略椀形に形成され，その開口端周縁には全周に渡って４つの外鍔３１が突設されている。また，
反射板３０の平坦な底面には，円筒部１３内に位置する取付アダプタ１を露出する略円形の露出孔３２が略中央に設けられ
反射板３０の斜面には蛍光ランプＬａを支持する一対の支持ばね３４が取着される
・図１，図２には，以下の内容が示されている。
・段落【００１６】の下線部の記載事項と図１からみて，蛍光ランプＬａは，器具本体１０の開口部１１を囲むように前面側に配置されていることが理解できる。
・段落【００１８】の下線部の記載事項と図１からみて，内周面に取付アダプタ１が係合するための係合突部１３ａが形成された円筒部１３が理解でき，段落【００１６】の下線部の記載事項から，円筒部１３が，器具本体１０の開口部１１から照射面方向へと延伸するように結合されることが理解できる。
・段落【００１５】の下線部の記載事項と図１，図２からみて，蛍光ランプＬａを高周波点灯させる電子式安定器２０を含む回路基板２２が円筒部１３を囲むように器具本体１０の前面側に配設されていることが理解できる。
・図１，図２からみて，反射板３０の底面と，斜面と円筒部１３を内周壁とする空間に電子安定器２０を含む回路基板２２を包囲することが理解できる。
・図１，図２からみて，照明器具は，取付アダプタ１と，器具本体１０と，蛍光ランプＬａと，円筒部１３と，電子式安定器２０を含む回路基板２２と，反射板３０とを具備していることが理解できる。
　そうすると，引用文献１には，以下の発明(以下「引用発明」という）が記載されていると認められる。
「天井に配設された引掛シーリング２等の配線器具に取り付けて機械的な結合と電気的な接続が同時に行われる配線器具接続部１ｂを具備した取付アダプタ１と，
　器具本体１０の上面側から開口部１１を通して，引掛シーリング２に取り付けられた取付アダプタ１を挿入し，取付アダプタ１を円筒部１３の係合突部１３ａに係合し，取付アダプタ１に機械的に結合されて固定される，金属部材などからなる器具本体１０と，
　器具本体１０の開口部１１を囲むように前面側に配置される蛍光ランプＬａと，
　内周面に取付アダプタ１が係合するための係合突部１３ａが形成され，器具本体１０の開口部１１から照射面方向へと延伸するように結合される円筒部１３と，
　前記円筒部１３を囲むように前記器具本体１０の前面側に配設される，蛍光ランプＬａを高周波点灯させる電子式安定器２０を含む回路基板２２と，
　前記円筒部１３内に位置する前記取付アダプタ１を露出する略円形の露出孔３２が略中央に設けられた反射板３０の平坦な底面と，蛍光ランプＬａを支持する一対の支持ばね３４が取着される反射板３０の斜面と，前記底面と前記斜面と円筒部１３を内周壁とする空間に電子安定器２０を含む回路基板２２を包囲する反射板３０と，
　を具備している照明器具。」
３．当審の判断
（１）特許法第３６条第６項第１号について
　本件発明は，訂正により，器具本体，および基板の記載について，
「器具取付面に配設された配線器具に電気的かつ機械的に接続されるアダプタが配設されるための開口を有し，前記配線器具に取り付けられる金属製の器具本体と；
　前記器具本体の開口を囲むように前面側にＬＥＤパッケージが実装され，裏面側が前記器具本体と熱的に結合するように前記器具本体に実装される基板と；」とされた。
　この訂正により，本件発明は，ＬＥＤパッケージで発生した熱が，基板から，金属製の器具本体に伝導されて，放熱されることが明確となり，発明の課題を解決するための手段が反映された。
　したがって，本件発明は，特許法第３６条第６項第１号の要件を満たしている。
（２）特許法第３６条第６項第２号について
　「ＬＥＤパッケージ」について「前記」を削除したことにより，「ＬＥＤパッケージ」の記載が明確になり，本件発明は，特許法第３６条第６項第２号の要件を満たしている。
（３）特許法第２９条第２項について
ア．発明の対比
（ア）本件発明と引用発明とを対比すると，後者の「天井」は前者の「器具取付面」に相当し，以下同様に，「引掛シーリング２等の配線器具」又は「引掛シーリング２」は「配線器具」に，「取付アダプタ１」は「アダプタ」に，「金属部材などからなる器具本体１０」は「金属製の器具本体」に，器具本体１０の「開口部１１」は器具本体の「開口」に，「内周面」は「内周側」に，「円筒部１３」は「円筒状の取付部」又は「取付部」に，円筒部１３の「係合突部１３ａ」は取付部の「係合口」に，「結合される」ことは「配設される」ことに，「反射板３０」は「点灯装置カバー」に，「底面」は「前面壁」に，「斜面」は「外周壁」に，反射板３０の「露出孔３２」は点灯装置カバーの「開口」に，「電子安定器２０を含む回路基板２２」は「点灯装置」に，それぞれ相当する。
（イ）
ａ．（ア）の相当関係を踏まえると，後者の「天井に配設された引掛シーリング２等の配線器具に取り付けて機械的な結合と電気的な接続が同時に行われる配線器具接続部１ｂを具備した取付アダプタ１」は前者の「器具取付面に配設された配線器具に電気的かつ機械的に接続されるアダプタ」に相当する。
ｂ．（ア）の相当関係と，後者の「器具本体１０の開口部１１に結合される円筒部１３」を踏まえると，後者の「器具本体１０の上面側から開口部１１を通して，引掛シーリング２に取り付けられた取付アダプタ１を挿入し，取付アダプタ１を円筒部１３の係合突部１３ａに係合し，取付アダプタ１に機械的に結合されて固定される，金属部材などからなる器具本体１０」は，器具本体１０が取付アダプタ１を介して引掛シーリング２に取り付けられているから，前者の「アダプタが配設されるための開口を有し，前記配線器具に取り付けられる金属製の器具本体」に相当する。
ｃ．上記ａ．，ｂ．を踏まえると，後者の「天井に配設された引掛シーリング２等の配線器具に取り付けて機械的な結合と電気的な接続が同時に行われる配線器具接続部１ｂを具備した取付アダプタ１と，器具本体１０の上面側から開口部１１を通して，引掛シーリング２に取り付けられた取付アダプタ１を挿入し，取付アダプタ１を円筒部１３の係合突部１３ａに係合し，取付アダプタ１に機械的に結合されて固定される，金属部材などからなる器具本体１０」は，前者の「器具取付面に配設された配線器具に電気的かつ機械的に接続されるアダプタが配設されるための開口を有し，前記配線器具に取り付けられる金属製の器具本体」に相当する。
（ウ）後者の「器具本体１０の開口部１１を囲むように前面側に配置される蛍光ランプＬａ」と前者の「前記器具本体の開口を囲むように前面側に前記ＬＥＤパッケージが実装された基板」とは，「前記器具本体の開口を囲むように前面側に配置された光源」において共通する。
（エ）後者の「内周面に取付アダプタ１が係合するための係合突部１３ａが形成され，器具本体１０の開口部１１から照射面方向へと延伸するように結合される円筒部１３」は，（ア）の相当関係を踏まえると，前者の「内周側に前記アダプタが係合するための係合口が形成され，前記器具本体の開口から照射面方向に延伸するように配設される円筒状の取付部」に相当する。
（オ）後者の「前記円筒部１３を囲むように前記器具本体１０の前面側に配設される，蛍光ランプＬａを高周波点灯させる電子式安定器２０を含む回路基板２２」と，前者の「前記取付部を囲むように配設されているとともに，照射面側の端から裏面側の端までの厚みが，前記取付部の前記照射面方向の端から前記器具本体側の端までの範囲に収まるように配設される点灯装置」とは，（ア）の相当関係を踏まえると，「前記取付部を囲むように配設されている，点灯装置」において共通する。
（カ）
ａ．後者の「略円形の露出孔３２」により「前記円筒部１３内に位置する前記取付アダプタ１を露出する」ためには，円筒部１３の下側の開口部に対応した位置に露出孔３２が形成されることは明らかであるから，後者の「前記円筒部１３内に位置する前記取付アダプタ１を露出する略円形の露出孔３２が略中央に設けられた反射板３０の平坦な底面」は，（ア）の相当関係を踏まえると，前者の「前記取付部の開口部に対応した開口が形成された前面壁」に相当する。
ｂ．後者の「反射板３０の平坦な底面と，蛍光ランプＬａを支持する一対の支持ばね３４が取着される反射板３０の斜面と，前記底面と前記斜面と円筒部１３を内周壁とする空間に電子安定器２０を含む回路基板２２を包囲する反射板３０」は，（ア）の相当関係を踏まえると，前者の「前面壁を有するとともに，点灯装置の外側を囲む外周壁と，前記取付部を内周壁とする空間に前記点灯装置を包囲する点灯装置カバー」に相当する。
ｃ．上記ａ．，ｂ．を踏まえると，後者の「前記円筒部１３内に位置する前記取付アダプタ１を露出する略円形の露出孔３２が略中央に設けられた反射板３０の平坦な底面と，蛍光ランプＬａを支持する一対の支持ばね３４が取着される反射板３０の斜面と，前記底面と前記斜面と円筒部１３を内周壁とする空間に電子安定器２０を含む回路基板２２を包囲する反射板３０」は前者の「前記取付部の開口部に対応した開口が形成された前面壁を有するとともに，点灯装置の外側を囲む外周壁と，前記取付部を内周壁とする空間に前記点灯装置を包囲する点灯装置カバー」に相当する。
（キ）そうすると，両者は，
「器具取付面に配設された配線器具に電気的かつ機械的に接続されるアダプタが配設されるための開口を有し，前記配線器具に取り付けられる金属製の器具本体と，
　前記器具本体の開口を囲むように前面側に配置された光源と，
　内周側に前記アダプタが係合するための係合口が形成され，前記器具本体の開口から照射面方向へと延伸するように配設される円筒状の取付部と，
　前記取付部を囲むように配設されている点灯装置と，
　前記取付部の開口部に対応した開口が形成された前面壁を有するとともに，点灯装置の外側を囲む外周壁と，前記取付部を内周壁とする空間に前記点灯装置を包囲する点灯装置カバーと，
を具備している照明器具。」
の点で一致し，以下の各点で相違するものと認められる。
＜相違点１＞
　前記器具本体の開口を囲むように前面側に配置された光源に関して，光源が，本件発明では，「ＬＥＤパッケージが実装され，裏面側が前記器具本体と熱的に結合するように前記器具本体に実装される基板」であるのに対して，引用発明では，「蛍光ランプＬａ」である点。
＜相違点２＞
　前記取付部を囲むように配設されている点灯装置に関し，点灯装置が，本件発明では，「照射面側の端から裏面側の端までの厚みが，前記取付部の前記照射面方向の端から前記器具本体側の端までの範囲に収まるように配設される」のに対して，引用発明では，そのような特定はなされていない点。
＜相違点３＞
　本件発明では，「前記基板には，略全面に亘り配線パターンが形成され，前記ＬＥＤパッケージは，略直方体形状であり，一方の短辺側の電極が前記器具本体の開口側を向き，かつ他方の短辺側の電極が前記器具本体の外周側を向くように配置される」のに対して，引用発明では，そもそも，ＬＥＤを実装する基板が存在しない点。
イ．相違点の判断
　事案に鑑み，まず，相違点３について検討する。
　ＬＥＤ基板について，その基板に形成させる配線パターンとしては，特にＬＥＤ搭載基板の場合，ＬＥＤからの熱を放出させることが重要であることは，明らかである。
　それは，異議申立人西村　太一が令和３年２月１９日付け意見書において新たに引用する引用文献１２（特開２０１０−９７９３９号公報）の【図９】とその説明である段落【００２６】には，「基板４のおもて面は，図８（図９の誤記）に示すように，ＬＥＤ１０が接続される配線パターン４０によってほぼ全面が覆われている。各配線パターン４０は，銅箔で形成されており，それぞれに接続されたＬＥＤ１０の放熱板（放熱手段）の機能も有している。」と記載されていることからも明らかである。同じく同意見書にて，新たに引用する引用文献１３（特開２００７−３５８８１号公報）の【図１】とその説明である段落【００１６】にも，導体パターン３ａ〜３ｄがＬＥＤ基板の略全面に配置されている。
　このように，配線パターンを基板全面に亘って配置させることは，特に照明の分野において周知の技術である。
　また，同じく，同意見書において，新たに引用する引用文献１４（特開２００５−３４７２７９号公報）に，天井面などに取り付ける照明器具であって（段落【００１７】），「・・・本実施形態では図８（ａ）に示すように各ＬＥＤ素子１１の発光分布の短幅方向が放射線上に配置されるように各ＬＥＤ素子１１を配置したり，図８（ｂ）に示すように各ＬＥＤ素子１１の発光分布の長手方向が放射線上に配置されるように各ＬＥＤ素子１１を配置し（て）おり・・・」と記載されているように（段落【００２７】），各ＬＥＤ素子の１１の発光分布の長手方向を円周方向に配置するもの（図８（ａ）），半径方向に配置するもの（図８（ｂ））がある。
　また，同意見書にて，新たに引用する引用文献１５（特開２００９−１１７２２８号公報），これは例えば製品の外観検査に用いる照明装置に関するが，その図１４，図１５にＬＥＤを半径方向に配置したものが，さらに，同意見書にて新たに引用する引用文献１６（特開平１１−６６９１８号公報）は，ＣＣＤカメラ等の照明用光源に関するが，その図１にもＬＥＤを長手方向を半径方向に配置のものが記載されている。
　しかしながら，これらの引用文献１４〜１６に示されるものは，いずれも，「ＬＥＤパッケージは，略直方体形状であり，一方の短辺側の電極が前記器具本体の開口側を向き，かつ他方の短辺側の電極が前記器具本体の外周側を向くように配置される」（以下「構成Ａ」という。）とまではいえるものではない。
　また，上記構成Ａは，異議申立人西村　太一が提出したいずれの文献（甲第１号証〜甲第９号証，引用文献１０〜引用文献１６）にも，異議申立人梯　京子が提出したいずれの文献（甲第１号証〜甲第９号証，引用文献１０〜１２）」にも記載されていない。
　したがって，上記相違点３に係る本件発明の構成とすることは，異議申立人西村　太一が提出したいずれの文献（甲第１号証〜甲第９号証，引用文献１０〜引用文献１６），及び，異議申立人梯　京子が提出したいずれの文献（引用文献１０〜１２）」にも記載されていないから，当業者が容易に想到し得たものではない。
　よって，相違点１，２を検討するまでもなく，本件発明は，引用発明に基いて，その余の証拠を参照しても当業者が容易に発明することができたものではない。
ウ．小括
　したがって，当該取消理由通知書に記載した取消理由によっては，本件発明を取り消すことはできない。　
第５．取消理由通知において採用しなかった特許異議申立理由について
１．特許異議申立人西村　太一の特許異議申立理由
（１）特許法第３６条第６項第１号
ア．器具本体の取付関係について
　異議申立人は，本件発明1 は，「器具本体」について，「前記配線器具に取り付けられる金属製の器具本体」と規定する。この規定によれば，「器具本体」は，直接「配線器具」に取り付けられてよいこととなるが，明細書の詳細な説明によれば，「器具本体」は「アダプタ」に取り付けらるものであり，これ以外の取付けについての記載はないから，本件発明は，発明の詳細な説明に記載されたものではない旨主張する。
　しかしながら，本件発明は「器具取付面に配設された配線器具に電気的かつ機械的に接続されるアダプタが配設されるための開口を有し，前記配線器具に取り付けられる金属製の器具本体」と特定されており，本件発明の「器具本体」はアダプタを介して間接的に「配線器具に取り付けられ」るものであるから，発明の詳細な説明に記載されており，特許法第３６条第６項第１号の要件を満たすものである。
（２）特許法第３６条第６項第２号
　異議申立人は，請求項１に係る発明の，ア．「器具本体の開口を囲む」，「取付部を囲む」について，イ．「開口」，「開口部」，「係合口」について，ウ．「外周壁」，「内周壁」について，不明である旨主張する。
　しかしながら，上記ア．，イ．，ウ．について，本件発明の発明特定事項は，明確であるから，特許法第３６条第６項第２号の要件を満たすものである。
２．特許異議申立人梯　京子の特許異議申立理由
（１）特許法第３６条第６項第２号
　異議申立人は，請求項１に係る発明の記載は以下のように明確でない旨の主張をしていた
「＜２＞「器具取付面に配設された配線器具に電気的かつ機械的に接続されるアダプタが配設されるための開口を有し，前記配線器具に取り付けられる器具本体」との記載では，配線器具，アダプタと，器具本体，ＬＥＤパッケージが実装された基板などとの電気的接続関係が明瞭でないし，また，器具本体の配線器具への取り付けと，器具本体の開口へのアダプタの配設との電気的，機械的接続についての関連も明瞭でない。
＜３＞「内周側に前記アダプタが係合するための係合口が形成され，前記器具本体の開口に配設される円筒状の取付部と；前記取付部を囲むように配設されているとともに，前記取付部の上端よりも前記器具本体の前面側に配設される点灯装置」との記載において，「取付部」と「点灯装置」は，「配設された」ではなく，「配設される」という過去形で表現されたものでないことからみて，それぞれ，“器具本体の開口に対する配設前の取付部”，“取付部の上端よりも器具本体の前面側に対する配設前の点灯装置”を言及したものと解される。そうすると，”，“器具本体の開口に対する取付部の配設時期”，“取付部の上端よりも器具本体の前面側に対する点灯装置の配設時期”，及び，“配線器具に対する器具本体の取付時期”のそれぞれ相互間の関連が明瞭でない。また，本件発明は，器具本体の開口に対する取付部の配設前，または，後のどちらの「照明器具」を請求しているのか，取付部の上端よりも器具本体の前面側に対する点灯装置の配設前， または，後のどちらの「照明器具」を請求しているのか，交換できないように配設固定された取付部や点灯装置を具備する「照明器具」を請求していないのかなども明瞭でない。
＜４＞「点灯装置の外側を囲む外周壁と，前記取付部を内周壁とする空間に前記点灯装置を包囲する点灯装置カバー」との記載では，「・・・外周壁」が如何なる文節を修飾しているのか明らかでないこともあって，その意味が明瞭でない。例えば，“外周壁と・・・内周壁とする空間“と解しても，その意味が明瞭でない。
＜５＞「・・・を囲む外周壁と，・・・を内周壁とする空間に前記点灯装置を包囲する点灯装置カバー」との記載において，「空間に」における「に」は，動作，作用の行われる場所を示す格助詞と解されるが，該「に」は「包囲する」との動詞に対応するものではないなど（すなわち，“点灯装置カバーが点灯装置を空間に包囲する”との表現は意味が不明であるなど），「空間に」がどの文節を修飾するのか等が明らかでない。それ故，「・・・を囲む外周壁と，・・・を内周壁とする空間に前記点灯装置を包囲する点灯装置カバー」との記載は，その意味が明瞭でない。」
　しかしながら，＜２＞〜＜５＞について検討しても，本件発明の発明特定事項は，明確であり，特許法第３６条第６項第２号の要件を満たすものである。
（２）特許法第３６条第４項第１号
　異議申立人は，本件発明と「発光素子の温度上昇を抑制できる照明器具を提供することを目的とする」（段落【０００６】）という目的との関連などが発明の詳細な説明に記載されていない旨の主張していたが，本件発明が訂正され，目的との関連が明確となった。
　そして，発明の詳細な説明は，本件発明が実施できる程度に明確かつ十分に記載されているから，特許法第４項第１号の要件を満たすものである。
（３）特許法第２９条第２項
　「第４．３．（３）イ．」で示したように，本件発明は，「前記基板には，略全面に亘り配線パターンが形成され，前記ＬＥＤパッケージは，略直方体形状であり，一方の短辺側の電極が前記器具本体の開口側を向き，かつ他方の短辺側の電極が前記器具本体の外周側を向くように配置される」ことを含むものであるところ，上記構成Ａ，すなわち，「前記ＬＥＤパッケージは，略直方体形状であり，一方の短辺側の電極が前記器具本体の開口側を向き，かつ他方の短辺側の電極が前記器具本体の外周側を向くように配置される」ことは，上述したように，異議申立人梯　京子の提出したいずれの文献（甲第１号証〜甲第９号証，引用文献１０〜１２）にも記載されていないから，本件発明は，異議申立人梯　京子の提出した文献に基いて，当業者が容易に発明することができたものではない。
第６．むすび
　以上のとおりであるから，取消理由通知に記載した取消理由及び特許異議申立書に記載した特許異議申立理由によっては，本件発明に係る特許を取り消すことはできない。
　また，他に本件発明に係る特許を取り消すべき理由を発見しない。
　よって，結論のとおり決定する。
【異議決定日】
令和３年４月１３日（２０２１．４．１３）
【訂正の要旨】
審決（決定）の【理由】欄参照。
（５４）【発明の名称】
照明器具
　【技術分野】
　【０００１】
　本発明の実施形態は、ＬＥＤ等の発光素子を用いた発光装置及び照明器具に関する。
　【背景技術】
　【０００２】
　近時、ＬＥＤの高出力化、高効率化及び普及化に伴い、光源としてＬＥＤを用いた屋内又は屋外で使用される長寿命化が期待できる照明器具が開発されている。このような照明器具は、ＬＥＤを基板に複数実装して所定の光量を得るようにしたものである。
　【０００３】
　位峰、ＬＥＤ等の発光素子は、発光時、その温度が上昇するに従い、光の出力が低下し、耐用年数も短くなる。このため、ＬＥＤやＥＬ素子等の固体発光素子を光源とする照明器具にとって、耐用年数を延したり発光効率等の特性を改善したりするために、発光素子の温度が上昇するのを抑制することが必要である。
　【先行技術文献】
　【特許文献】
　【０００４】
　【特許文献１】　特開２００８−１２４００８号公報
　【発明の概要】
　【発明が解決しようとする課題】
　【０００５】
　しかしながら、上記従来の照明器具においては、製造工程が複雑化する可能性がある。
　【０００６】
　本発明は、発光素子の温度上昇を抑制できる照明器具を提供することを目的とする。
　【課題を解決するための手段】
　【０００７】
　本発明の実施形態による照明器具は、器具取付面に配設された配線器具に電気的かつ機械的に接続されるアダプタが配設されるための開口を有し、前記配線器具に取り付けられる
金属製の
にＬ
、裏面側が前記器具本体と熱的に結合するように前記器具本体に実装される
から照射面方向へと延伸するよう
照射面側の端から裏面側の端までの厚みが、
前記照射面方向の端から
体側の端までの範囲
収まるように
、前記基板には、略全面に亘り配線パターンが形成され、前記ＬＥＤパッケージは、略直方体形状であり、一方の短辺側の電極が前記器具本体の開口側を向き、かつ他方の短辺側の電極が前記器具本体の外周側を向くように配置される
　【発明の効果】
　【０００８】
　本発明の実施形態によれば、発光素子の温度上昇を抑制できる照明器具を提供することが可能となる。
　【図面の簡単な説明】
　【０００９】
　【図１】本発明の実施形態に係る照明器具を示す斜視図である。
　【図２】同照明器具を示す分解斜視図である。
　【図３】同照明器具においてカバー部材及び点灯装置カバーを取外して下方から見て示す概略の平面図である。
　【図４】同照明器具を示す断面図である。
　【図５】図４中、点線で囲まれた範囲を示す拡大図である。
　【図６】同照明器具における基板を示す平面図である。
　【図７】同１枚の基板を示す平面図である。
　【図８】同基板の配線パターン層を示す平面図である。
　【図９】同基板に反射層を形成した状態を示す平面図である。
　【図１０】図９中、発光素子の位置関係を示す平面図である。
　【図１１】図８における部分的拡大図である。
　【図１２】図１１中、発光素子の位置関係を示す平面図である。
　【図１３】発光素子の接続状態を示す結線図である。
　【図１４】同照明器具の天井面への取付完了状態を示す断面図である。
　【発明を実施するための形態】
　【００１０】
　以下、本発明の実施形態について図１乃至図１４を参照して説明する。各図においてリード線等による配線接続関係は省略して示している場合がある。なお、同一部分には同一符号を付し、重複した説明は省略する。
　【００１１】
　本実施形態の照明器具は、器具取付面に設置された配線器具としての引掛けシーリングボディに取付けられて使用される一般住宅用のものであり、基板に実装された複数の発光素子を有する発光装置から放射される光によって室内の照明を行うものである。
　【００１２】
　図１乃至図４において、照明器具は、器具本体１と、発光装置２と、拡散部材３と、点灯装置４と、点灯装置カバー５と、取付部６と、カバー部材７とを備えている。また、器具取付面としての天井面Ｃに設置された引掛けシーリングボディＣｂに電気的かつ機械的に接続されるアダプタＡを備えている。このような照明器具は、丸形の円形状の外観に形成され、前面側を光の照射面とし、背面側を天井面Ｃへの取付面としている。
　【００１３】
　図２乃至図５に示すように、本体１は、冷間圧延鋼板等の金属材料の平板から円形状に形成されたシャーシであり、略中央部に、後述する取付部６を配設するための円形状の開口１１が形成されている。また、発光装置２が取付けられる内面側の平坦部１２の外周側には、背面側に向かう段差部１３が形成されて樋状の凹部１４が形成されている。そして、前記段差部１３には、カバー部材７が着脱可能に取付けられるカバー受部材が配置されている。カバー受部材は、より詳しくは、カバー受金具７５であり、段差部１３によって形成される凹部１４に配置されるようになっている。さらに、本体１の背面側の４箇所には、照明器具取付用ばね部材１５が設けられている。ばね部材１５は、ステンレス鋼等の金属製からなり、略長方形状の板ばねを折曲して形成されている。
　【００１４】
　発光装置２は、図２乃至図６に示すように、基板２１と、この基板２１に実装された複数の発光素子２２とを備えている（図２においては発光素子２２の図示を省略している）。基板２１は、所定の幅寸法を有した円弧状の４枚の基板２１が繋ぎ合わされるように配設されて全体として略サークル状に形成されている。つまり、全体として略サークル状に形成された基板２１は、４枚の分割された基板２１から構成されている。
　【００１５】
　このように分割された基板２１を用いることにより、基板２１の分割部で熱的収縮を吸収して基板２１の変形を抑制することができる。なお、複数に分割された基板２１を用いることが好ましいが、略サークル状に一体的に形成された一枚の基板を用いるようにしてもよい。
　【００１６】
　基板２１は、絶縁材であるガラスエポキシ樹脂の平板からなり、表面側には銅箔によって配線パターンが形成されている。また、配線パターンの上、つまり、基板２１の表面には反射層として作用する白色のレジスト層が施されている。なお、基板２１の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用できる。
　【００１７】
　発光素子２２は、ＬＥＤであり、表面実装型のＬＥＤパッケージである。このＬＥＤパッケージが複数個サークル状の基板２１の周方向に沿って、つまり、取付部６を中心とする略円周上に複数列、本実施形態では、内周側及び外周側の２列に亘って実装されている。また、ＬＥＤパケージには、発光色が昼白色Ｎのものと電球色Ｌのものとが用いられており、これらが交互又は混在して並べられていて、各列の隣接する発光素子２２は所定の間隔を空けて配設されている。
　【００１８】
　なお、特定の基板２１ａ（図３及び図６中、右側）には、常夜灯用の発光素子２２ａが
　【００１９】
実装されている。この発光素子２２ａには、サークル状に実装された主光源における電球色のものと同じ仕様のＬＥＤパッケージが用いられている。これにより部材の共通化が図られている。
　【００２０】
　なお、発光素子２２は、必ずしも複数列に実装する必要はない。例えば、周方向に沿って１列に実装するようにしてもよい。所望する出力に応じて発光素子２２の列数や個数を適宜設定することができる。
　【００２１】
　ＬＥＤパッケージは、概略的にはセラミックスや合成樹脂で形成された本体に配設されたＬＥＤチップと、このＬＥＤチップを封止するエポキシ系樹脂やシリコーン樹脂等のモールド用の透光性樹脂とから構成されている。ＬＥＤチップは、青色光を発光する青色のＬＥＤチップである。透光性樹脂には、昼白色や電球色の光を出射できるようにするために蛍光体が混入されている。また、本体には、ＬＥＤチップと接続されたアノード側の電極とカソード側の電極とが設けられている。
　【００２２】
　次に、図７乃至図１３を参照して発光装置２の構成を詳細に説明する。図７乃至図１０は、分割された基板２１の１枚を示しており、図１１及び図１２は、部分的に拡大した状態を示している。
　【００２３】
　まず、図７において、基板２１は、絶縁性を有する表面上に配線パターン層２１ａが積層され、さらに、その上に反射層２１ｂが積層されて形成されている。そして、基板２１には、２列に亘って発光素子２２である表面実装型のＬＥＤパッケージが複数個実装されている。ＬＥＤパッケージは、外形的には、略直方体形状をなしていて、一方の短辺側にアノード側の電極Ａｅが設けられており、他方の短辺側にカソード側の電極Ｃｅが設けられている。なお、説明上、カソード側の電極Ｃｅ側の短辺を太線で示している。
　【００２４】
　図８は、基板２１における配線パターン層２１ａを示している。配線パターン層２１ａは、銅箔のパターンがエッチングによって形成されていて、基板２１の表面上を略全面に亘って覆うように形成されている。
　【００２５】
　配線パターン層２１ａは、発光素子２２の実装個数に対応して複数のブロックに線状の絶縁領域ｉによって区画されていて、発光素子２２のアノード側の電極Ａｅ及びカソード側の電極Ｃｅがブロック間の比較的狭い線状の絶縁領域ｉを跨って接続されるようになっている。
　【００２６】
　配線パターン層２１ａは、発光素子２２に電力を供給する電気的導通路であるとともに、発光素子２２から発生する熱を拡散するヒートスプレッダとしての機能を有している。
　【００２７】
　図９は、基板２１において、配線パターン層２１ａの上に反射層２１ｂが形成された状態を示している。反射層２１ｂは、各発光素子２２が実装され電極Ａｅ、Ｃｅが接続される部分やコネクタが接続される部分を除いて略全面に亘って形成されている。つまり、各発光素子２２が実装され電極Ａｅ、Ｃｅが接続される部分やコネクタが接続される部分は、配線パターン層２１ａが表面上に露出する状態となっている。
　【００２８】
　反射層２１ｂは、具体的には、白色のフォトソルダータイプのレジストインキ材料を用いて形成したものであり、光の反射率が良好な白色のレジスト層である。このレジスト層は、膜厚寸法が約４０μｍに形成されている。
　【００２９】
　図１０は、配線パターン層２１ａの上に反射層２１ｂが形成された状態、すなわち、発光素子２２のアノード側の電極Ａｅ及びカソード側の電極Ｃｅが接続される部分に対応して配線パターン層２１ａが表面上に露出された状態において、発光素子２２との位置関係を示すため、説明上、発光素子２２を一部（２個）のみ実装した場合を示している。
　【００３０】
　続いて、図１１は、配線パターン層２１ａの一部を拡大して示し、図１２は、その配線パターン層２１ａに発光素子２２（点線で示している）が実装された場合の位置関係を示している。
　【００３１】
　図１２に示すように、線状の絶縁領域ｉによって区画された複数のブロック間において、比較的狭い線状の絶縁領域ｉを跨って発光素子２２のアノード側の電極Ａｅ及びカソード側の電極Ｃｅが配線パターン層２１ａに半田付けされて接続されている。
　【００３２】
　より詳しくは、発光素子２２のアノード側の電極Ａｅが接続される配線パターン層２１ａ側の領域Ｓａよりカソード側の電極Ｃｅが接続される配線パターン層２１ａ側の領域Ｓｃの方の面積が広くなるように形成されている。つまり、Ｓａ＜Ｓｃの関係になるように形成されている。
　【００３３】
　この種、発光素子２２は、発光時、主としてカソード側に熱が発生し、カソード側の電極Ｃｅの温度が高くなる。このため、カソード側の電極Ｃｅが接続される配線パターン層２１ａ側の領域Ｓｃを広くすることにより、発生した熱を広い面積で効果的に拡散し、放熱させて発光素子２２の温度上昇を抑制することが可能となる。
　【００３４】
　なお、発光素子２２のアノード側の電極Ａｅが接続される配線パターン層２１ａ側の領域Ｓａと、カソード側の電極Ｃｅが接続される配線パターン層２１ａ側の領域Ｓｃとは、領域Ｓｃが広くなるように形成できれば、その形状等は格別限定されるものではない。
　【００３５】
　図１３は、１枚の基板２１における各発光素子２２の結線状態を示している。具体的には、６個の発光素子２２が直列に接続された直列回路が４個並列に接続された２つのラインから構成されている。したがって、合計４８個の発光素子２２が接続されている。また、これらの直列回路は、発光色が昼白色の発光素子群と電球色の発光素子群とに分けられて接続されている。つまり、一つの直列回路に昼白色と電球色の発光素子２２が混在することはない。さらに、２つのラインの端部は、コネクタＣｎに接続されていて、隣接する基板２１のコネクタ又は電源側のコネクタに接続できるようになっている。
　【００３６】
　拡散部材３は、レンズ部材であり、図５に代表して示すように、例えば、ポリカーボネートやアクリル樹脂等の絶縁性を有する透明合成樹脂からなり、前記発光素子２２の配置に沿って略サークル状に一体的に形成されていて、発光素子２２を含めて基板２１の全面を覆うように配設されている。
　【００３７】
　また、レンズ部材は、略サークル状の内周側部分と外周側部分とに発光素子２２に対向して円周方向に２条の山形であって、断面形状が一定の突条部３１が連続して形成されている。この突条部３１の内側には、Ｕ字状の溝３２が円周方向に沿って連続して形成されている。したがって、Ｕ字状の溝３２は、複数の発光素子２２と対向して配置されるようになっており、複数の発光素子２２は、Ｕ字状の溝３２内に収められて覆われている状態となっている。
　【００３８】
　さらに、これら突条部３１からは幅方向に延出する平坦部３３が形成されており、これにより基板２１の全面が覆われるようになっている。
　【００３９】
　このように構成されたレンズ部材によれば、複数の発光素子２２から出射された光は、突条部３１によって、主として円周上の内周方向及び外周方向に拡散されて放射される。
　【００４０】
すなわち、発光素子２２から出射された光は、発光素子２２が配置されたところのサークル状の中心を原点とする半径方向へ主として拡散して放射されるようになる。
　【００４１】
　したがって、レンズ部材によって複数の発光素子２２から出射される光による照射光の均斉度を向上することが可能となる。さらに、各発光素子２２の輝度による粒々感を抑制することができる。
　【００４２】
　また、拡散部材３には、平坦部３３が形成されて基板２１の全面を覆うようになっているので、充電部が拡散部材３によって覆われ保護される。
　【００４３】
　なお、拡散部材３は、略サークル状に一体的に形成されていなくてもよい。例えば、分割された基板２１に対応して、これらの基板２１ごとに分割して形成するようにしてもよい。この場合には、一つの基板２１に実装された複数の発光素子２２ごとに連続して拡散部材３によって覆われるようになる。
　【００４４】
　また、拡散部材３は、レンズ部材に限らず、拡散シート等を適用するようにしてもよい。
　【００４５】
　上記のように構成された発光装置２は、図４及び図５に代表して示すように、基板２１が取付部６の周囲に位置して、発光素子２２の実装面が前面側、すなわち、下方の照射方向に向けられて配設されている。また、基板２１の裏面側が本体１の内面側の平坦部１２に密着するように面接触して取付けられている。具体的には、基板２１の前面側から拡散部材３が重ね合わされ、この拡散部材３を例えば、ねじＳ等の固定手段によって本体１に取付けることにより、基板２１は、本体１と拡散部材３との間に挟み込まれて押圧固定されるようになっている。つまり、１本のねじＳによって基板２１と拡散部材３とが共締めされている。
　【００４６】
　したがって、基板２１は、本体１と熱的に結合され、基板２１からの熱が裏面側から本体１に伝導され放熱されるようになっている。なお、基板２１と本体１との面接触は、基板２１の全面が本体１に接触する場合に限らない。部分的な面接触であってもよい。
　【００４７】
　加えて、拡散部材３における平坦部３３は、基板２１の実装面側に密着するように面接触しているので、基板２１の実装面側から熱が拡散部材３に伝わり、拡散部材３を経由して放熱することが可能となる。つまり、基板２１の前面側からも放熱できるようになっている。
　【００４８】
　点灯装置４は、図２乃至図４に示すように、回路基板４１と、この回路基板４１に実装された制御用ＩＣ、トランス、コンデンサ等の回路部品４２とを備えている。回路基板４１は、取付部６の周囲を囲むように略円弧状に形成されていて、アダプタＡ側が電気的に接続されて、アダプタＡを介して商用交流電源に接続されている。したがって、点灯装置４は、この交流電源を受けて直流出力を生成し、リード線を介してその直流出力を発光素子２２に供給し、発光素子２２を点灯制御するようになっている。
　【００４９】
　このような点灯装置４は、取付部６と発光装置２、すなわち、基板２１との間に配設されている。
　【００５０】
　点灯装置カバー５は、図２及び図４に示すように、冷間圧延鋼板等の金属材料によって略短円筒状に形成され、点灯装置４を覆うように本体１に取付けられている。側壁５１は、背面側に向かって拡開するように傾斜状をなしており、前面壁５２には、取付部６と対応するように開口部５３が形成されている。したがって、発光素子２２から出射される一部の光は、側壁５１によって前面側に反射され有効に利用されるようになる。また、この開口部５３に周縁には背面側へ凹となる円弧状のガイド凹部５４が形成されている。
　【００５１】
　取付部６は、略円筒状に形成されたアダプタガイドであり、このアダプタガイドの中央部には、アダプタＡが挿通し、係合する係合口６１が設けられている。このアダプタガイドは、本体１の中央部に形成された開口１１に対応して配設されている。アダプタガイドの外周部には、この外周部から突出するように基台が形成されていて、この基台には赤外線リモコン信号受信部や照度センサ等の電気的補助部品６２が配設されている。
　【００５２】
　なお、取付部６は、必ずしもアダプタガイド等と指称される部材である必要はない。例えば、本体１等に形成される開口であってもよく、要は、配線器具としての引掛けシーリングボディＣｂに対向し、アダプタＡが係合される部材や部分を意味している。
　【００５３】
　カバー部材７は、アクリル樹脂等の透光性を有し、乳白色を呈する拡散性を備えた材料から略円形状に形成されており、中央部には不透光性の円形状の化粧カバー７１が取付けられている。また、この化粧カバー７１には、前記電気的補助部品６２と対向するように略三角形状の透光性を有する受光窓７２が形成されている。さらに、カバー部材７の内面側の中央寄りには、内面方向に突出する突出ピン７３が形成されている。
　【００５４】
　そして、カバー部材７は、発光装置２を含めた本体１の前面側を覆うように本体１の外周縁部に着脱可能に取付けられるようになっている。具体的には、カバー部材７を回動することによって、カバー部材７に設けられたカバー取付金具７４を本体１の外周部の段差部１３における凹部１４に配設されたカバー受金具７５に係合することにより取付けられる。また、カバー部材７を取外す場合には、カバー部材７を取付時とは反対方向に回動して、カバー取付金具７４とカバー受金具７５との係合を解くことにより、取外すことができる。
　【００５５】
　このようにカバー部材７が本体１に取付けられた状態においては、主として図５に示すように、カバー部材７の内面側は、点灯装置カバー５の前面壁５２に面接触するようになる。したがって、点灯装置４等から発生する熱を点灯装置カバー５へ伝導し、さらにカバー部材７へ伝導させて放熱を促進することが可能となる。
　【００５６】
　ここで、カバー部材７は、回動させて本体１に取付けられるが、受光窓７２の位置を電気的補助部品６２と対向するように位置合わせをする必要がある。このため、本実施形態においては、詳細な説明は省略するが、カバー部材７側に形成された突出ピン７３と点灯装置カバー５に形成されたガイド凹部５４とによって位置規制手段が構成されている。この位置規制手段によって受光窓７２が電気的補助部品６２と対向して位置されるようになり、例えば、赤外線リモコン信号受信部が赤外線リモコン送信器からの制御信号を受信できるようになる。
　【００５７】
　アダプタＡは、天井面Ｃに設置された引掛けシーリングボディＣｂに、上面側に設けられた引掛刃によって電気的かつ機械的に接続されるもので略円筒状をなし、周壁の両側には一対の係止部Ａ１が、内蔵されたスプリングによって常時外周側へ突出するように設けられている。この係止部Ａ１は下面側に設けられたレバーを操作することにより没入するようになっている。また、このアダプタＡからは、前記点灯装置４へ接続する電源コードが導出されていて、点灯装置４とコネクタを介して接続されるようになっている（図３参照）。
　【００５８】
　次に、照明器具の天井面Ｃへの取付状態について図１４を参照して説明する。まず、予め天井面Ｃに設置されている引掛けシーリングボディＣｂにアダプタＡを電気的かつ機械的に接続する。この状態から取付部６としてのアダプタガイドの係合口６１をアダプタＡに合わせながら、アダプタＡの係止部Ａ１がアダプタガイドの係合口６１に確実に係合するまで器具本体１を照明器具取付用ばね部材１５の弾性力に抗して下方から手で押し上げて取付け操作を行う。
　【００５９】
　次いで、カバー部材７を本体１に取付ける。これは、カバー部材７を回動することによって、カバー部材７に設けられたカバー取付金具７４を本体１のカバー受金具７５に係合することにより取付けられる。
　【００６０】
　また、照明器具を取外す場合には、カバー部材７を取外し、アダプタＡに設けられているレバーを操作してアダプタＡの係止部Ａ１の係合を解くことにより取外すことができる。
　【００６１】
　照明器具の天井面Ｃへの取付状態において、点灯装置４に電力が供給されると、基板２１の配線パターン層２１ａを通じて各発光素子２２のアノード側の電極Ａｅ及びカソード側の電極Ｃｅに通電され、各発光素子２２が点灯する。発光素子２２から出射された光は、複数の発光素子２２を連続して覆う拡散部材３によって半径方向へ拡散されるとともに、前面側へ放射される。前面側へ放射された光は、カバー部材７によって拡散され透過して外方へ照射される。したがって、照射光の均斉度の向上を図ることができるとともに、各発光素子２２の輝度による粒々感を抑制することが可能となる。
　【００６２】
　また、半径方向の内周側へ向かう一部の光は、点灯装置カバー５における傾斜状の側壁５１によって前面側に反射され有効に利用されるようになる。
　【００６３】
　一方、発光素子２２から発生する熱は、カソード側の電極Ｃｅが接続される配線パターン層２１ａ側の広い面積で形成された領域Ｓｃによって拡散され放熱される。
　【００６４】
　また、基板２１の裏面側が本体１と熱的に結合しているため、本体１に効果的に伝導され、本体１の広い面積で放熱されるようになる。また、基板２１の外周側近傍には、基板２１の外周に沿って段差部１３が位置しているため、この段差部１３によって放熱面積を増大させることができ、本体１外周部での放熱効果を高めることが可能となる。
　【００６５】
　点灯装置４は、取付部６と基板２１との間に配設されているため、点灯装置４は、基板２１から熱的影響を受けるのを軽減される。これは、基板２１の熱は、本体１の外周方向に向かって伝導し、放熱される傾向にあることに起因するものである。
　【００６６】
　さらに、カバー部材７は、点灯装置カバー５に面接触するようになっているので、点灯装置４から発生する熱を点灯装置カバー５へ伝導し、さらにカバー部材７へ伝導させて放熱をさせることができる。
　【００６７】
　加えて、拡散部材３における平坦部３３は、基板２１の実装面側に面接触しているので、基板２１の実装面側から拡散部材３を経由して前面側からも放熱することが可能となる。また、この場合、拡散部材３は、基板２１の全面を覆うようになっているので充電部が保護されるようになる。
　【００６８】
　以上のように本実施形態によれば、配線パターン層を有効に利用して、発光素子の温度上昇を抑制できる発光装置及び照明器具を提供することが可能となる。
　【００６９】
　なお、本発明は、上記各実施形態の構成に限定されることなく、発明の要旨を逸脱しない範囲で種々の変形が可能である。例えば、例えば、発光素子は、ＬＥＤや有機ＥＬ等の固体発光素子が適用でき、この場合、発光素子の個数は特段限定されるものではない。また、照明器具としては、屋内又は屋外で使用される各種照明器具やディスプレイ装置等に適用可能である。
　【符号の説明】
　【００７０】
１・・・器具本体、２・・・発光装置、３・・・拡散部材（レンズ部材）、４・・・点灯装置、５・・・点灯装置カバー、６・・・取付部（アダプタガイド）、７・・・カバー部材、２１・・・基板、２１ａ・・・配線パターン層、２２・・・発光素子（ＬＥＤ）、Ａｅ・・・アノード側の電極、Ｓａ・・・アノード側の電極が接続される領域、Ｃｅ・・・カソード側の電極、Ｓｃ・・・カソード側の電極が接続される領域、Ａ・・・アダプタ、Ｃ・・・器具取付面（天井面）、Ｃｂ・・・配線器具（引掛けシーリングボディ）
（５７）【特許請求の範囲】
　【請求項１】
　器具取付面に配設された配線器具に電気的かつ機械的に接続されるアダプタが配設されるための開口を有し、前記配線器具に取り付けられる
金属製の
　前記器具本体の開口を囲むように前面側
にＬ
、裏面側が前記器具本体と熱的に結合するように前記器具本体に実装される
　内周側に前記アダプタが係合するための係合口が形成され、前記器具本体の開口
から照射面方向へと延伸するよう
　前記取付部を囲むように配設されているとともに、
照射面側の端から裏面側の端までの厚みが、
前記照射面方向の端から
体側の端までの範囲
収まるように
　前記取付部の開口部に対応した開口が形成された前面壁を有するとともに、点灯装置の外側を囲む外周壁と、前記取付部を内周壁とする空間に前記点灯装置を包囲する点灯装置カバーと；
を具備し
、
　前記基板には、略全面に亘り配線パターンが形成され、
　前記ＬＥＤパッケージは、略直方体形状であり、一方の短辺側の電極が前記器具本体の開口側を向き、かつ他方の短辺側の電極が前記器具本体の外周側を向くように配置される